(57)【要約】【課題】プライ剥離防止性、エッジエンボス付与時のバウンシングや片当たりの防止性、エッジエンボスロールの耐摩耗性に優れ、さらに、ロール状にした際のリブ状部分の形成防止性に優れ、さらにメインエンボスとの調和性に優れるトイレットロールを提供することにある。【解決手段】  トイレットペーパーの連続方向に直行する幅方向に平行な辺を有する形状の単位凹エンボスが前記連続方向に３．９〜５．５ｍｍのピッチで配列された単位凹エンボス列を、前記幅方向の３．９〜６．１ｍｍの範囲内に複数列有し、前記連続方向の各位置で幅方向に単位凹エンボスが位置するエッジエンボスが、その各単位凹エンボスが、幅方向においてメインエンボスを構成する各単位メインエンボス凹部の範囲内に位置しているとともに、連続方向において各単位凹エンボスの連続方向の長さの３０％以上の範囲がメインエンボスの各単位メインエンボス凹部に重なっているようにして配されているトイレットロールにより解決される。【選択図】図２
2016049225.tif 000002
【特許請求の範囲】
【請求項１】
複数枚の帯状のトイレットペーパー原紙が連続方向に沿って施された型押しによって積層一体化されてなる複数プライのトイレットペーパーをロール状に巻いたトイレットロールであって、
前記トイレットペーパーがメインエンボスを有し、
前記型押しが；
トイレットペーパーの連続方向に直行する幅方向に平行な辺を有する形状の単位凹エンボスが前記連続方向に３．９〜５．５ｍｍのピッチで配列された単位凹エンボス列を、前記幅方向の３．９〜６．１ｍｍの範囲内に複数列有し、
前記連続方向の各位置で幅方向に単位凹エンボスが位置し、
かつ、各単位凹エンボスが、幅方向において前記メインエンボスを構成する各単位メインエンボス凹部の範囲内に位置しているとともに、連続方向において各単位凹エンボスの連続方向の長さの３０％以上の範囲がメインエンボスの各単位メインエンボス凹部に重なっている、
ことを特徴とするトイレットロール。
【請求項２】
前記メインエンボスが、紙面全体に、底面が１．０〜１．５×１．０〜１．５ｍｍの四角形であり、中心間隔が４．５〜５．５ｍｍである各単位メインエンボス凹部が、幅方向に対しての配列角度４５°で格子状に配列されたものである請求項１記載のトイレットロール。
【請求項３】
複数枚のトイレットペーパー原紙を重ねた状態で、周面に多数の凸エンボスを有するエッジエンボスロールとこれを受ける受けロールとの間を通して、前記複数枚のトイレットペーパー原紙同士を積層一体化するトイレットペーパーの型押し一体化方法であって、
複数のトイレットペーパー原紙がメインエンボスが付与されたものであり、
前記エッジエンボスロール周面の凸エンボスのパターンが；
前記エッジエンボスロールの回転軸方向に沿う幅方向に平行な辺を有する形状の単位凸エンボスが、エッジエンボスロール回転時におけるその周面の移動方向に沿って３．９〜５．５ｍｍのピッチで配列された単位凸エンボス列を、前記幅方向の３．９〜６．１ｍｍの範囲内に複数列有し、かつ、前記連続方向の各位置で幅方向に単位凸エンボスが位置するものであり、
このエッジエンボスロールを用いて、前記トイレットペーパー原紙に対し、各単位凸エンボスが、幅方向において前記メインエンボスを構成する各単位メインエンボス凹部の範囲内に位置し、かつ、連続方向において各単位凸エンボスの連続方向の長さの３０％以上の範囲がメインエンボスの各単位メインエンボス凹部に重なるようにして、型押し一体化することを特徴とするトイレットペーパーの型押し一体化方法。
【請求項４】
前記メインエンボスが、紙面全体に、底面が１．０〜１．５×１．０〜１．５ｍｍの四角形であり、中心間隔が４．５〜５．５ｍｍである各単位メインエンボス凹部が、幅方向に対しての配列角度４５°で格子状に配列されたものである請求項３記載のトイレットペーパーの型押し一体化方法。
【発明の詳細な説明】
【技術分野】
【０００１】
本発明は、複数枚の帯状のトイレットペーパー原紙が連続方向に沿って施された型押しによって積層一体化されたトイレットペーパーをロール状に巻いたトイレットロール及び、複数枚の帯状のトイレットペーパー原紙同士のプライ剥離を防止するための型押し一体化方法に関する。
【背景技術】
【０００２】
帯状のトイレットペーパー原紙をロール状に巻いたトイレットロールは、良く知られるところであるが、このトイレットロールにおいては、そのトイレットペーパーが、複数のトイレットペーパー原紙を積層一体化した複数プライのものと、トイレットペーパー原紙をその一枚のままとしたシングルのものがある。
【０００３】
このうち複数プライのものは、製造するにあたって、積層された各原紙のプライ剥離を型押し一体化（エッジエンボス、コンタクトエンボスなどとも呼ばれる。以下、この型押し一体化を本発明及び明細書においては主にエッジエンボスという。）により防止することが行なわれる。
【０００４】
このエッジエンボスは、一般的に、重ね合わせた原紙を、複数の単位凸エンボスが所定のエンボスパターンで付与された比較的幅の狭いエッジエンボスロールと、このエッジエンボスロールを受ける金属製又はゴム製の受けロールとの間を通して、所定のエンボスパターンを型押しして施される。
【０００５】
そして、エッジエンボスは、トイレットペーパーのデザイン性、滑らかさや嵩高さを向上させるべく紙面の広範な範囲に幾何学的又はランダムパターンで配されるエンボス（このようなエンボスは、メインエンボス、デザインエンボス、マイクロエンボス、マクロエンボスなどとも称される。本発明及び明細書においてはメインエンボスともいう。）とは異なる効果が求められる。
【０００６】
すなわち、第一にプライ剥離が防止できる程度に強固に各トイレットペーパー原紙を圧着できるとともに、そのような強い圧着性を確保しつつもエッジエンボスロールの耐摩耗性が考慮されなければならない。また、エッジエンボスの付与によって製品の形状などに影響を与えないようにしなければならない。
【０００７】
圧着性については、単位凸エンボスに係る圧力を高めればよいが、単にそのように圧力を高めると耐摩耗性が低下したりトイレットペーパーに孔があいてしまったりする問題が生ずる。さらに、エッジエンボスロールに形成する単位凸エンボスの頂部面積を広くしたり、単位凸エンボスを密に配列したりすれば、耐摩耗性は向上するが、単にこのようにすると、トイレットペーパーをロール状に加工した際に圧着部分が帯状に浮き上がって、ロール周面にリブが形成されたようになってしまい見栄えが損なわれる。
【０００８】
また、単位凸エンボスの頂部面積を小さくするとトイレットペーパーをロール状に加工した際に圧着部分が帯状に浮き上がる現象は発現しがたくなるが、耐摩耗性を確保することが難しくなるとともに、付与時にエッジエンボスロールが振動によって飛び跳ねたりがたついたりするバウンシングや、エッジエンボスロールが、紙面に面接触せずに傾いて接してしまう片当たりの現象が生じやすくなり、これに起因してエッジエンボスが付与されない部分があったり、過度の加圧によってエンボスが付与されてエンボス凹部となる部分に孔があいてしまうことがあり、見栄えの悪い製品となることがある。
【０００９】
そして、第二に、エッジエンボスは、特に上記のデザイン性や嵩高さ等を向上させるためのメインエンボスを有するトイレットロールにおいては、メインエンボスによるデザイン性や嵩高さの効果を維持しつつ、各原紙同士をしっかりと圧着することが求められる。特に、エッジエンボスは、各原紙を圧着するようにしっかりと施されているにもかかわらず、嵩高さやデザイン性のために付与されるメインエンボスに比して目立たたないようにすることが求められる。
【先行技術文献】
【特許文献】
【００１０】
【特許文献１】特許第５３９９７２７号
【特許文献２】特許第４６２７８９２号
【特許文献３】特許第４４５０４２１号
【特許文献４】特許第５３３１５３０号
【特許文献５】特許第５００５０８５号
【発明の概要】
【発明が解決しようとする課題】
【００１１】
そこで、本発明の主たる課題は、上記エッジエンボスに関する問題を解決した、プライ剥離の防止性、バウンシングや片当たりの防止性、ロール状にした際のリブ状部分の形成の防止性、エッジエンボスロールの耐摩耗性に優れ、さらに、エッジエンボスが目立たないトイレットロール及びトイレットロールの型押し一体化方法を提供することにある。
【課題を解決するための手段】
【００１２】
上記課題を解決した本発明は次記のとおりである。
【００１３】
＜請求項１記載の発明＞
複数枚の帯状のトイレットペーパー原紙が連続方向に沿って施された型押しによって積層一体化されてなる複数プライのトイレットペーパーをロール状に巻いたトイレットロールであって、
前記トイレットペーパーがメインエンボスを有し、
前記型押しが；
トイレットペーパーの連続方向に直行する幅方向に平行な辺を有する形状の単位凹エンボスが前記連続方向に３．９〜５．５ｍｍのピッチで配列された単位凹エンボス列を、前記幅方向の３．９〜６．１ｍｍの範囲内に複数列有し、
前記連続方向の各位置で幅方向に単位凹エンボスが位置し、
かつ、各単位凹エンボスが、幅方向において前記メインエンボスを構成する各単位メインエンボス凹部の範囲内に位置しているとともに、連続方向において各単位凹エンボスの連続方向の長さの３０％以上の範囲がメインエンボスの各単位メインエンボス凹部に重なっている、
ことを特徴とするトイレットロール。
【００１４】
＜請求項２記載の発明＞
前記メインエンボスが、紙面全体に、底面が１．０〜１．５×１．０〜１．５ｍｍの四角形であり、中心間隔が４．５〜５．５ｍｍである各単位メインエンボス凹部が、幅方向に対しての配列角度４５°で格子状に配列されたものである請求項１記載のトイレットロール。
【００１５】
＜請求項３記載の発明＞
複数枚のトイレットペーパー原紙を重ねた状態で、周面に多数の凸エンボスを有するエッジエンボスロールとこれを受ける受けロールとの間を通して、前記複数枚のトイレットペーパー原紙同士を積層一体化するトイレットペーパーの型押し一体化方法であって、
複数のトイレットペーパー原紙がメインエンボスが付与されたものであり、
前記エッジエンボスロール周面の凸エンボスのパターンが；
前記エッジエンボスロールの回転軸方向に沿う幅方向に平行な辺を有する形状の単位凸エンボスが、エッジエンボスロール回転時におけるその周面の移動方向に沿って３．９〜５．５ｍｍのピッチで配列された単位凸エンボス列を、前記幅方向の３．９〜６．１ｍｍの範囲内に複数列有し、かつ、前記連続方向の各位置で幅方向に単位凸エンボスが位置するものであり、
このエッジエンボスロールを用いて、前記トイレットペーパー原紙に対し、各単位凸エンボスが、幅方向において前記メインエンボスを構成する各単位メインエンボス凹部の範囲内に位置し、かつ、連続方向において各単位凸エンボスの連続方向の長さの３０％以上の範囲がメインエンボスの各単位メインエンボス凹部に重なるようにして、型押し一体化することを特徴とするトイレットペーパーの型押し一体化方法。
【００１６】
＜請求項４記載の発明＞
前記メインエンボスが、紙面全体に、底面が１．０〜１．５×１．０〜１．５ｍｍの四角形であり、中心間隔が４．５〜５．５ｍｍである各単位メインエンボス凹部が、幅方向に対しての配列角度４５°で格子状に配列されたものである請求項３記載のトイレットペーパーの型押し一体化方法。
【発明の効果】
【００１７】
以上の本発明によれば、プライ剥離の防止性、バウンシングや片当たりの防止性、ロール状にした際のリブ状部分の形成の防止性、エッジエンボスロールの耐摩耗性に優れ、さらに、エッジエンボスが目立たないトイレットロール及びトイレットロールの型押し一体化方法が提供される。
【図面の簡単な説明】
【００１８】
【図１】本発明に係るトイレットロールの概略斜視図である。
【図２】本発明に係るエッジエンボスを説明するための図である。
【図３】本発明に係る別の形態のエッジエンボスを説明するための図である。
【図４】本発明に係るエッジエンボスの付与態様を説明するための図である。
【図５】本発明に係る凸エンボスロールを説明するための図である。
【図６】本発明に係る凸エンボスロールにおけるエンボスパターンを説明するための図である。
【図７】本発明に係るメインエンボスが付与されたトイレットペーパーの平面図である。
【図８】本発明に係るメインエンボスが付与されたトイレットペーパーの断面を示す図であり、特に図７におけるＡ−Ａ断面、Ｂ−Ｂ断面、Ｃ−Ｃ断面を示す図である。
【図９】比較例１〜４及び従来例のエッジエンボスのパターンを説明するための図である。
【図１０】プライ剥離防止性の試験方法を説明するための図である。
【発明を実施するための形態】
【００１９】
次いで、本発明の実施の形態を図１〜７を参照しながら詳述する。なお、説明は、トイレットロールの説明を主にしつつ、そのなかでトイレットペーパーの型押し一体化方法ついても説明する。
【００２０】
本実施形態に係るトイレットロール１を図１に示す（なお、図１中においてはメインエンボスは省略されている）。このトイレットロール１は、複数枚の帯状のトイレットペーパー原紙１１，１１がその幅方向の縁部において連続方向に沿って施された型押し（以下、エッジエンボスともいう）２によって積層一体化されてなる複数プライのトイレットペーパー１０が紙管３にロール状に巻かれたものである。なお、エッジエンボス２が配される位置としては、トイレットペーパー１０の幅方向両縁部、より具体的には両縁から５０ｍｍ以内の範囲の縁部にそれぞれにあるのが好ましいが、必ずしもこの位置に限定されない。また、片側縁部のみに配されていてもよい。プライ数については、２プライから３プライであるのが望ましく、特に、２プライであるのが望ましい。また、トイレットペーパー１０の紙厚は、１００〜３５０μｍ、また、１プライ当りの米坪は、１１．０〜２５．０ｇ／ｍ2であるのが望ましい。このプライ数、紙厚及び米坪の範囲にあると使用時の柔らかさや吸水性を確保でき、また特に、後述の本発明に係る構成のエッジエンボス２による効果がより顕著となる。
【００２１】
なお、本実施形態に係る米坪とは、ＪＩＳ Ｐ ８１２４（１９９８）の米坪測定方法によるものであり、紙厚とは、ＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いてトイレットペーパー１０の異なる任意の五箇所を測定し、この五箇所の測定値の平均値をいう。
【００２２】
トイレットロール１の大きさ等は、限定されないが、一般的には、幅Ｌ１が１００〜１２０ｍｍ、直径Ｌ２が１００〜１２０ｍｍ、巻き長さ（トイレットペーパーの全長）が１８〜７０ｍ、紙管外径Ｌ３が３５〜５０ｍｍであり、本発明に係るトイレットロール１もこの範囲のものとすることができる。
【００２３】
他方、本実施形態に係るトイレットペーパー１０には、デザイン性、滑らかさや嵩高さを向上させるべく紙面の広範な範囲に幾何学的な配列のメインエンボス４が付与されている。メインエンボス４を構成する各単位メインエンボス凹部４０の形状や配列は、下記の本発明に係るエッジエンボス２のパターンとの関係を達成しうる範囲で適宜設計可能である。なお、図２、図３においてはメインエンボス４を点線、エッジエンボス２を実線で表している。
【００２４】
他方、本実施形態に係るトイレットペーパー１０に施されるエッジエンボス２は、以下のとおり特徴的なパターンとなっている。すなわち、本実施形態に係るエッジエンボス２は、トイレットペーパー１０の連続方向に直行する幅方向に平行な辺Ｅ１，Ｅ２を有する形状の単位凹エンボス２０が前記連続方向に３．９〜５．５ｍｍのピッチＬ７で配列された単位凹エンボス列２０Ｌを、前記幅方向の３．９〜６．１ｍｍの範囲Ｌ８内に複数列有し、また、前記連続方向の各位置で幅方向に単位凹エンボス２０が位置するパターンとなっている。換言すれば連続方向の各位置で幅方向に単位凹エンボス２０が一つ以上存在している。
【００２５】
このエッジエンボス２のパターンは、比較的狭い幅方向の範囲Ｌ８内に、所定ピッチＬ７で単位凹エンボス２０，２０が配列された単位凹エンボス列２０Ｌが形成されているため、プライ剥離を十分に防止できるプライ剥離強度を確保することができる。
【００２６】
また、このエッジエンボス２のパターンは、付与時における利点をも有する。すなわち、エッジエンボス２の付与は、図４に示すように、トイレットペーパー原紙１１，１１を重ね合わせた状態とした後（図中この重ね合わせた状態のシートを符号１１Ａで示す）、トイレットペーパー原紙１１の特に製品時における適宜の位置となる部分を、複数の単位凸エンボス２０ｘが上述の付与されるべきエッジエンボス２のパターンで形成された比較的幅の狭いエッジエンボスロール５と、このエッジエンボスロール５を受ける金属製又はゴム製の受けロール６との間を通して型押しするエッジエンボス付与手段５６により施される。なお、図示例では、エッジエンボスロールが上方、受けロール６が下方位置となっているがこれらロールの位置関係は、これに限られない。エッジエンボスロール５と受けロール６の配置は、図４の位置と上下逆転しても良い。
【００２７】
したがって、本実施形態のエッジエンボス２のパターンを付与するエッジエンボスロール５の単位凸エンボス２０ｘの配列パターンも対応した配列パターンとなる。つまり、図６に示すように、本実施形態に係るエッジエンボスロール５におけるエンボスパターンは、係るエッジエンボス２のパターンに対応するように、エッジエンボスロール５の回転軸方向に沿う幅方向に平行な辺ｅ１，ｅ２を有する形状の単位凸エンボス２０ｘが、エッジエンボスロール５の回転方向、すなわち回転時におけるその周面の移動方向に沿って３．９〜５．５ｍｍのピッチＬ１２で配列された単位凸エンボス列２０ｌを、前記幅方向の３．９〜６．１ｍｍの範囲Ｌ１３内に複数列有し、かつ、前記連続方向の各位置で幅方向に単位凸エンボス２０ｘ，２０ｘが位置するものとなる。
【００２８】
そして、特に、トイレットペーパー１０の連続方向に直行する幅方向に平行な辺Ｅ１，Ｅ２を有する形状の単位凹エンボス２０に対応すべく、エッジエンボスロール５の単位凸エンボス２０ｘが、前記エッジエンボスロール５の回転軸方向に沿う幅方向に平行な辺ｅ１，ｅ２を有する形状の単位凸エンボス２０ｘとなるために、紙面に対して単位凸エンボス２０ｘが押し付けられる際に、常にその平行な辺ｅ１から紙面に接することになる。単位凸エンボス２０ｘが、菱形や三角形の頂点から接するパターンや円形の頂面を有するパターン、換言すれば、エッジエンボス２の単位凹エンボス２０が、トイレットペーパーの連続方向に頂点を有するような菱形や三角形のパターンであったり、円形のパターンであったりすると、その単位凸エンボス２０ｘが紙面に接し始める際に頂点や円形の一点に過度に力が加わりやすく、エッジエンボスロール５の特に単位凸エンボスの摩耗が生じやすくなる。本実施形態に係るエッジエンボス２のパターンは、付与時に単位凸エンボス２０ｘが常に辺ｅ１から紙面に接するようになるため、一点に過度の力が加わることがなく、もってその摩耗が低減される。
【００２９】
さらに、前記連続方向の各位置で幅方向に単位凹エンボス２０，２０が位置するエッジエンボス２に対応すべく、エッジエンボスロール５のパターンが、連続方向の各位置で幅方向に単位凸エンボス２０ｘ，２０ｘが位置するものとなることから、エッジエンボスロール５が紙面に対して常に何れかの単位凸エンボス２０ｘが接していることになり、紙面に対してエッジエンボスロール５が安定的に接するようになり、特にエッジエンボスロール５が跳ねるバウンシングや、紙面に対して傾いて接する片当たりの現象が発現し難くなる。また、それゆえエンボスがしっかりと付与されプライ剥離も効果的に防止される。
【００３０】
ここで、連続方向の各位置で幅方向に単位凹エンボス２０（単位凸エンボス２０ｘ）が位置するとは、図２に示すように、幅方向で二つの単位凹エンボス２０，２０が一部重なるもの（図中、重なり部分を符号Ｄで示す）はもちろん、図３に示すように、単位凹エンボス２０，２０の辺が一致している場合も含む（図中、辺の一致部分を符号ｄで示す）。一致していれば、エッジエンボス２を付与する際に紙面に対していずれかの単位凸エンボス２０ｘが常に接していることが確保される。また、各列間の単位凹エンボス間における重なり幅は、異なっていてもよいが、一定であるほうが安定するためより効果的にバウンシング、片当たりの防止効果が高まる。
【００３１】
ここで単位凹エンボス２０の形状としては、好ましくは、トイレットペーパー１０の連続方向に直行する幅方向に平行な辺Ｅ１，Ｅ２を有する形状であり、より好ましくは、トイレットロールの芯側及び先端側の双方の辺Ｅ１，Ｅ２が、トイレットペーパー１０の連続方向に直行する幅方向に平行な辺Ｅ１,Ｅ２を有する形状、なかでも四角形である。なお、図示例では、長方形が例示されているが、平行四辺形や台形であってもよい。但し、本発明に係る単位凹エンボス２０は、四角形に限られるものではない。
【００３２】
また、単位凹エンボス列２０Ｌの数は、図示例では三列となっているが必ずしも三列に限定されるものではない。但し、エッジエンボス２を付与するためのエッジエンボスロール５の設計上、上記幅の範囲内において実質的に配設できるのは１〜１１列である。また、好ましくは、３〜５列である。３〜５列であることにより、エッジエンボスロール５の紙面に対する安定性がより高まり、バウンシングや片当たりの現象がより発現し難くなる。
【００３３】
他方で、本実施形態に係るエッジエンボス２は、上記パターンであるとともに，メインエンボス４との関係において、各単位凹エンボス２０，２０…が、幅方向において前記メインエンボス４を構成する各単位メインエンボス凹部４０，４０…の範囲内に位置しているとともに、連続方向において各単位凹エンボス２０，２０…の連続方向の長さＬ４の３０％以上の範囲がメインエンボス４の各単位メインエンボス凹部４０，４０…に重なっている。なお、本実施形態に係るメインエンボス４の付与態様は、トイレットペーパーの１０一方面の凹部が他方面で凸部となる所謂シングルエンボスの付与態様のみならず、複数プライの場合にそのプライを構成するトイレットペーパー原紙毎或いはその一部のみにエンボスが付与されている所謂ダブルエンボスの付与態様も含まれる。但し、ダブルエンボスの場合における本発明のエッジエンボス２とメインエンボス４との関係は、プライを構成するトイレットペーパー原紙のうちのトイレットロール１の最外周面側に位置するプライに付与されたメインエンボスとの関係を言う。換言すれば、本発明に係るメインエンボス４は、トイレットロール１を構成するトイレットペーパー１０の外周面側に現れるものである。
【００３４】
トイレットロール１は、図１にも示されるようにトイレットペーパー１０が帯状に連続性があるものである上、使用態様がトイレットロールホルダーから連続的に引きだして使用するものであるため、トイレットペーパー１０のエンボスパターンや模様等は、連続方向において若干のずれがあっても使用者はさほど気にならないが、幅方向でのずれは違和感を強く感じる。本実施形態のエッジエンボス２のパターンでは、特に各単位凹エンボス２０，２０…が、幅方向において前記メインエンボス４を構成する各単位メインエンボス凹部４０，４０…の範囲内に位置させることで、違和感を強く感ずる幅方向における単位凹エンボス２０と単位メインエンボス凹部４０とのずれをなくし、さらに連続方向においては３０％以上の重なりを有するようにして、連続方向へのずれの違和感をも低減している。この見た目の意匠性に係る効果は、特に単位メインエンボス凹部の面積よりも単位凹エンボスの面積が小さい場合により、顕著となり、特には、単位凹エンボスの面積が、単位メインエンボス凹部の面積の４０％以下になると顕著となる。
【００３５】
より好適には、連続方向における重なりの範囲は、単位凹エンボス２０の連続方向の長さＬ４の３０〜９０％である。１００％重なる態様、換言すればメインエンボス４の単位メインエンボス凹部４０内に、単位凹エンボス２０が包含される態様では、見た目の意匠性の観点からは好ましいが、プライ剥離の防止性がやや弱まる。すなわち、単位メインエンボス凹部４０は、メインエンボス４の付与時にトイレットペーパー原紙１１が一度押されて繊維が圧密化されているため、それに重ねて凸エンボスで押してもトイレットペーパー原紙１１同士の圧着性が弱まる傾向にある。したがって、上記の通り重なりの範囲を３０〜９０％とするとメインエンボス４の付与時に圧密化されていない部分を含んでエッジエンボスロール５による圧着が行なわれることになるため、このようにするのがより望ましいのである。
【００３６】
また、本実施形態に係るエッジエンボス２のパターンは、ロール状にした際のリブ状部分の形成の防止性にも優れる。リブ状部分の形成原因の一つは、単位凹エンボス２０の反対面が凸となるために、ロール状にした際に、単位凹エンボス２０が重なり積層されることによってリブ状部分が形成されると考えられている。上記のとおり本実施形態に係るエッジエンボス２のパターンは、単位凹エンボス２０の一部がメインエンボス４の単位メインエンボス凹部４０内に位置している。その一部は、圧着性はやや低下するものの既にメインエンボス４の付与により圧密化されている部分であるがゆえ、単位凹エンボス２０の付与にともなうトイレットペーパーの厚み増加が緩和され、又はむしろメインエンボス４による凹凸が相殺され、それゆえロール状にした際には単位凹エンボス２０が重なり積層されてもリブ状部分が形成され難い。
【００３７】
ここで、各単位凹エンボス２０が、幅方向において前記メインエンボス４を構成する各単位メインエンボス凹部４０の範囲内に位置しているとともに、連続方向において各単位凹エンボス２０の連続方向の長さの３０％以上の範囲がメインエンボス４の各単位メインエンボス凹部４０に重なるようにするには、エッジエンボスロール５に形成する単位凸エンボス２０ｘの大きさとメインエンボス４の構成を適宜に設計するとともに、メインエンボス４が形成されたトイレットペーパー原紙１１，１１に対して、本実施形態に係るエッジエンボス２のパターンに対応するパターンの凸エンボス群を有するエッジエンボスロール５を接触させてエッジエンボス２を付与する際に、エッジエンボスロール５とトイレットペーパー原紙１１,１１との接触開始位置や原紙搬送速度、エッジエンボスロール５や受けロール６の回転速度等を適宜に調整すればよい。
【００３８】
ここで、本実施形態に係るエッジエンボス２における単位凹エンボス２０のエンボス深さとしては、０．１〜１．２ｍｍとするのが望ましい。型押しの条件でいえば、単位凸エンボス２０ｘのエンボス高さを０．４〜１．２ｍｍとするのが望ましい。この範囲であれば、プライ剥離を防止できる程度にしっかりとしたエッジエンボス２を付与でき、また、トイレットペーパー１０に孔があいたり、過度にエッジエンボス２が目立つことが効果的に防止される。なお、このエンボス深さとすることの効果は、上述のトイレットペーパー１０の米坪や紙厚において特に顕著となる。
【００３９】
他方、本実施形態に係るメインエンボス４としては、好適な例は、特に、図７及び図８に示す紙面全体に、底面が１．０〜１．５×１．０〜１．５ｍｍの四角形であり、中心間隔Ｌ９が４．５〜５．５ｍｍである凹部５０，５０…が、幅方向に対しての配列角度４５°（配列角度は図７中において符号∠Ｂで示す）で格子状に配列されたメインエンボス４である。さらに、このメインエンボス４は、図示例の如く、ある単位メインエンボス凹部４０における四角形底面の各頂点から隣接する単位メインエンボス凹部４０の四角形底面の頂点に対して谷線４１で連続するように連なるものであるのが望ましい。係るメインエンボス４は、四角形底面から連続する斜め４５度に延在する谷線４１の存在によって、看者の意識が連続方向、幅方向といった二方向のみの意識から斜め方向への意識も強まることにより、メインエンボス４と単位凹エンボス２０のずれの意識が埋没しやすく、エッジエンボス２による見た目の違和感が極めて小さくなる。
【００４０】
他方、本実施形態に係るトイレットロール１を製造するにあたっては、本発明に係るエッジエンボス２の付与以外に関しては、既知の製造手順に準じて製造することができ、例えば、長尺の紙管を製造する工程と、その長尺の紙管に対して幅広のトイレットペーパーを用いてログを製造するログ製造工程と、ログを裁断して個々のトイレットロール１にする裁断工程と、順に経て製造する手順である。
【００４１】
そして、本実施形態に係るトイレットロール１は、そのログ製造工程において、図４に示すように、予めログ９０の幅に対応する幅広のトイレットペーパー原紙１１，１１を巻きとった複数の原反ロール８０，８０から、それぞれ幅広のトイレットペーパー原紙１１，１１を繰出し、重ね合わせた後、紙管に巻き付けるまでの間に、エッジエンボスロール５及びこれを受ける受けロール６との間に通して、エッジエンボス２を付与して積層一体化すればよい。エッジエンボス以外のメインエンボス４の付与は、図示はしないが、各原反ロールから繰出した各トイレットペーパー原紙を重ね合わせた後に、エッジエンボス２の付与前にメインエンボス４を付与すればよい。予め複数枚のトイレットペーパー原紙１１Ａを積層した状態で巻き取った原反ロールから積層状態のトイレットペーパー原紙を繰出して、エッジエンボス２を付与することもできる。
【００４２】
なお、エッジエンボス２やメインエンボス４を付与する際のエンボス圧については、紙の厚みや密度などによって既知の範囲で適宜調整すればよい。
【実施例】
【００４３】
本発明に係る実施例１及び２のエッジエンボス、比較例１〜４のエッジエンボス、従来例のエッジエンボスに関し、見た目の意匠性、プライ剥離性、ロール状にした際のリブ状部分の形成の防止性、そのエッジエンボスを付与するためのエッジエンボスロールの耐摩耗性、及びエンボスの入り具合について評価を行なったのでその結果を下記の表１に示す。
【００４４】
型押しに用いたトイレットペーパーは、米坪が１６．５ｇ／ｍ2のトイレットペーパー原紙を２枚重ねにした２プライ構造のものであり、紙厚は２１０μｍ（２プライ）のものとした。また、トイレットペーパーは、図７及び図８に示すメインエンボスをシングルエンボスの付与態様で形成したものとした。なお、メインエンボスは、底面が１．１×１．１ｍｍの四角形であり、中心間隔が５．０ｍｍである単位メインエンボス凹部が、幅方向に対する配列角度４５°で配置され、各四角形の頂点から谷線をもって連なるようにしたパターンとした。
【００４５】
また、連続方向の各位置で幅方向に単位凹エンボスが位置するに関し、各例における単位凹エンボス列について紙面左側からａ〜ｅ列として、各列の単位凹エンボスの各列間の重なりを表１及び図面に示している。
【００４６】
実施例１に係るエッジエンボスは、図２に示すパターンであり、単位凹エンボスの形状は、連続方向に２．７７ｍｍ，幅方向の辺の長さが０．１４ｍｍの長方形である。各列の単位凹エンボスの位置が、各列間において重なり（符号Ｄで示す部分）を有し、連続方向の各位置で幅方向に単位凹エンボスが位置するものとなっている。また、各単位凹エンボスの面積は単位メインエンボス凹部の面積の３１％であり、全ての各単位凹エンボスは、連続方向において単位メインエンボス凹部と３９％以上の重なりを有し、幅方向においては単位メインエンボス凹部の範囲内に入る配列となっている。
【００４７】
実施例２に係るエッジエンボスは、図３に示すパターンであり、単位凹エンボスの形状は、連続方向に１．６７ｍｍ，幅方向の辺の長さが０．２３ｍｍの長方形である。各列の単位凹エンボスの位置が、各列間において一致（符号ｄで示す部分）しており、連続方向の各位置で幅方向に単位凹エンボスが位置するものとなっている。また、各単位凹エンボスの面積は単位メインエンボス凹部の面積の３１％であり、全ての各単位凹エンボスは、連続方向において単位メインエンボス凹部と３２％以上の重なりを有し、幅方向においては単位メインエンボス凹部の範囲内に入る配列となっている。
【００４８】
比較例１に係るエッジエンボスは、図９（Ａ）に示すパターンであり、短辺が連続方向に沿う平行四辺形が一列配列されているものである。単位凹エンボスの形状は、短辺０．５ｍｍ、長辺７．０７ｍｍの平行四辺形である。各単位エンボス凹部は、単位メインエンボス凹部と、連続方向において２０％の重なりしか有さず、また、トイレットペーパーの連続方向３箇所の単位メインエンボス凹部にまたがる配列となっている。
【００４９】
比較例２に係るエッジエンボスは、図９（Ｂ）に示すパターンであり、単位凹エンボスの形状は、一辺０．５ｍｍの正方形であり、各辺はそれぞれ連続方向、幅方向に沿っている。また、ｃ列における単位凹エンボスとａ列における単位凹エンボスとの間に一致する部分（符号ｄ’部分）があるものの、ａ列における単位凹エンボスとｂ列における単位凹エンボス、ｂ列における単位凹エンボスとｃ列における単位凹エンボスとが、連続方向で離間しており、連続方向のある位置で幅方向に単位凹エンボスがない部分がある。（離間部分は図９中、符号Ｗで示している。他の比較例及び従来例においても同様。）また、各単位凹エンボスは、各単位メインエンボス凹部に包含された配列となっている。
【００５０】
比較例３に係るエッジエンボスは、図９（Ｃ）に示すパターンであり、単位凹エンボス列がａ〜ｅの五列有している。また、単位凹エンボスの形状は、直径０．５ｍｍの円である。各列における単位凹エンボスは、各列における単位凹エンボスが、各列間で連続方向に離間しており、連続方向のある位置で幅方向に単位凹エンボスがない部分がある。五列の単位凹エンボスのうち、ａ，ｃ，ｅ列の単位凹エンボスは単位メインエンボス凹部に包含されるが、残るｂ，ｄ列の単位凹エンボスは重なりをもたない。
【００５１】
比較例４に係るエッジエンボスは、図９（Ｄ）に示すパターンであり、単位凹エンボスの形状は、一辺０．６２ｍｍの正方形であり、各辺はそれぞれ連続方向、幅方向に沿っている。また、ｃ列における単位凹エンボスとａ列における単位凹エンボスとの間に重なる部分（符号Ｄ’部分）があるものの、ａ列における単位凹エンボスとｂ列における単位凹エンボス、ｂ列における単位凹エンボスとｃ列における単位凹エンボスとが、連続方向で離間しており、連続方向のある位置で幅方向に単位凹エンボスがない部分がある。全ての単位凹エンボスは、単位メインエンボス凹部に包含され、その面積は単位メインエンボス凹部の３１％である。
【００５２】
従来例に係るエッジエンボスは、図９（Ｅ）に示すパターンであり、単位凹エンボスの形状は、一辺１．１ｍｍの正方形であり、各辺はそれぞれ連続方向、幅方向に沿っている。各列における単位凹エンボスは、各列における単位凹エンボスが、各列間で連続方向に離間しており、連続方向のある位置で幅方向に単位凹エンボスがない部分がある。連続方向のある単位凹エンボスは、単位メインエンボス凹部に包含されるが、連続方向の別の単位凹エンボスは、重なりをもたない配列となっている。なお、各例を作成するのに用いたエッジエンボスロールは、エッジエンボスに現れるパターンと同一である。
【００５３】
見た目の意匠性については、従来例を基準として、従来例よりもエッジエンボスが目立たないか否かを目視にて確認し、殆ど目立たなくなるように改善されているものを○、従来より若干程度しか改善されていないものを△、従来と同等かより目立つものを×と評価した。
【００５４】
エッジエンボスロールの耐摩耗性については、約１８，０００，０００ｍのトイレットペーパー原紙に対してエッジエンボスの付与をおこなった後、エッジエンボスロールの摩耗の具合を目視にて確認し、従来例以下又は従来例と同等の耐摩耗性であったものを×、従来例よりも耐摩耗性の改善がやや看られるものを△、さらに耐摩耗性の改善が明らかないものを○と評価することとした。
【００５５】
プライ剥離の防止性については、図１０に（１）正面視、（２）側面視を示したように、トイレットペーパーのエッジエンボスを含むようにして幅方向に２０ｍｍ、連続方向にミシン目などを含まない範囲で１００ｍｍ裁断した試料を用意し、その試料を連続方向の一方端から３０ｍｍ剥離してその分離端２５ｍｍを引張り試験機の各チャックに固定してセットして、一方のチャックを１００ｍｍ／ｍｉｎの速度で、５０ｍｍ引張った際の、プライ剥離の強度を測定し、その測定値から評価した。評価は、この試験において４．５ｃＮ以上の測定値であれば、プライ剥離のおそれがほとんどないと判断できるため、測定値が４．５ｃＮ以上であるものを○と評価した。
【００５６】
エンボスの入り具合は、従来例よりもバウンシング、片当たりに起因すると思われる単位凹エンボスの飛び、穴あき等が発生しているか否かを目視にて確認し、殆ど発生していないものを○、従来例よりも若干発生が減少しているものを△、従来と同等かそれ以下のものを×と評価した。
【００５７】
ロール状にした際のリブ状部分の形成の防止性は、外直径４２．８ｍｍφ、幅１１４ｍｍの紙管にトイレットペーパーを３０ｍ巻いたトイレットロールを作成し、エッジエンボス付与部分がリブ状にどの程度の高さ盛り上がっているかを確認した。具体的な確認方法は、各ロールを端面視して、端面の縁を基準としてエッジエンボス付与部分が外面側にどの程度の高さの凸となっているかを定規で計測した。なお、計測は、トイレットロールを定規とともに端面視で撮影して行なう。また、測定値は、５個のロールの平均値とした。  評価は、０．８ｍｍ以下であれば目視にてほとんどリブ状であることが感じられないため、０．８ｍｍ以下を○、さらに０．３ｍｍ以下であったものを◎とした。また、０．８ｍｍを超えてくるとリブ状になっていることが目視にて感じられるため０．８ｍｍ超〜１．５ｍｍ以下を△と評価した。さらに、１．５ｍｍを超えてくると明らかにリブ状部分が目立つようになるため１．５ｍｍを超えてくるものについては×と評価することとした。
【００５８】
【表１】
2016049225.tif 000003
【００５９】
表１の結果から理解されるとおり、本発明の構成を採る実施例１及び実施例２は、エッジエンボスが目立たず、また、リブ状部分の形成の防止性、エッジエンボスロールの耐摩耗性、プライ剥離の防止性に優れ、全ての項目で良好な結果となった。
【００６０】
比較例については、エッジエンボスの耐摩耗性について、本実施例より劣る結果となった。比較例では、連続方向のある位置で幅方向に単位凹エンボスが位置していないためと思われる。また、特に、複数列を有していない比較例１及び単位凹エンボスの形状が円形の比較例３においては、特にエッジエンボスロールの耐摩耗性が劣っている。したがって、単位凹エンボス列が複数列あり、連続方向の各位置で幅方向に単位凹エンボスが位置し、また、単位凹エンボスが、トイレットペーパーの連続方向に直行する幅方向に平行な辺を有する形状の場合に、特にエッジエンボスの耐摩耗性が改善されるといえる。
【００６１】
さらに、比較例１及び比較例３では、エッジエンボスにおける各単位凹エンボスが、メインエンボスにおける単位メインエンボス凹部からのずれが目立ち、見た目の意匠性が改善されていない。本発明に係るエッジエンボスとメインエンボスとの関係を採ることでこの点が改善されるといえる。但し、比較例２及び比較例４では、見た目の意匠性に優れる結果となったが、プライ剥離の防止性は、実施例よりやや劣る結果となっている。単位メインエンボス凹部に完全に単位凹エンボスが包含される場合、圧着力低下のおそれがあるといえる。また、連続方向のある位置で、幅方向に単位凹エンボスがない部分があるため、エッジエンボスロールの耐摩耗性にも劣る。
【００６２】
また、比較例１及び比較例３においては、リブ状部分の形成性について双方ともに劣る結果となった。
【００６３】
以上からして、本発明の構成外とすると、メインエンボスとの調和がとれず、エッジエンボス部分が目立ち、また、バウンシング・片当たりによるエッジエンボスロールの耐摩耗性が改善されず、プライ剥離強度の低下が発生するおそれもある。
【００６４】
本発明に係るエッジエンボスのパターンとすることにより、見た目の意匠性に優れ、リブ状部分の形成が防止され、十分なプライ剥離性を有しつつ、耐摩耗性に優れることが示された。
【符号の説明】
【００６５】
１…トイレットロール、１０…トイレットペーパー、１１…トイレットペーパー原紙、３…紙管、２…エッジエンボス（型押し）、Ｌ１…トイレットロールの幅、Ｌ２…トイレットロールの直径、Ｌ３…紙管外径、４…メインエンボス、４０…単位メインエンボス凹部、２０…単位凹エンボス、Ｅ１…単位凹エンボスのトイレットペーパー原紙の連続方向に直行する幅方向に平行でトイレットロール芯側に位置する短辺、Ｅ２…単位凹エンボスのトイレットペーパー原紙の連続方向に直行する幅方向に平行でトイレットロールの引き出し端側に位置する短辺、Ｌ４…単位凹エンボスの連続方向の長さ、Ｌ７…連続方向における単位凹エンボスの間隔（ピッチ）、Ｌ８…単位凹エンボスの幅方向の配置範囲、２０Ｌ…単位凹エンボス列、２０ｘ…単位凸エンボス、５…エッジエンボスロール、６…受けロール、５６…エッジエンボス付与手段、ｅ１…単位凸エンボスの回転軸方向に平行で回転時に紙面に早く接する側の短辺、ｅ２…単位凸エンボスの回転軸方向に平行で回転時に紙面に遅く接する側の短辺、Ｌ１２…回転方向における単位凸エンボスの配値間隔（ピッチ）、２０ｌ…単位凸エンボス列、Ｌ１３…単位凸エンボスの幅方向の配置範囲、Ｄ，Ｄ’…単位凹エンボスの位置の重なり部分
ｄ，ｄ’…単位凹エンボスの辺の一致部分、Ｌ９…単位メインエンボス凹部同士の中心間隔、４１…谷線、８０…原反ロール、９０…ログ。
【図１】
2016049225.tif 000004
【図２】
2016049225.tif 000005
【図３】
2016049225.tif 000006
【図４】
2016049225.tif 000007
【図５】
2016049225.tif 000008
【図６】
2016049225.tif 000009
【図７】
2016049225.tif 000010
【図８】
2016049225.tif 000011
【図９】
2016049225.tif 000012
【図１０】
2016049225.tif 000013